(57)【要約】【課題】コネクタが大型化するのを防止する。【解決手段】コネクタ１０は、端子金具２０が後方から挿入可能なキャビティ４５を有するハウジング４０と、ハウジング４０におけるキャビティ４５の前方に装着され、相手コネクタ１００と嵌合された状態で相手コネクタ１００とハウジング４０との間に弾性的に圧縮されてシールをとるシール部材７０とを備える。シール部材７０は、キャビティ４５に臨む面に、正規挿入された端子金具２０を当て止め可能な当て止め部７９を有する。【選択図】図１
2013165019.tif 000002
【特許請求の範囲】
【請求項１】
相手コネクタが前方から嵌合可能なコネクタであって、
端子金具が後方から挿入可能なキャビティを有するハウジングと、
前記ハウジングにおける前記キャビティの前方に装着され、前記相手コネクタと嵌合された状態で前記相手コネクタと前記ハウジングとの間に弾性的に圧縮されてシールをとり、前記キャビティに臨む面に、正規挿入された端子金具を当て止め可能な当て止め部を有するシール部材とを備えることを特徴とするコネクタ。
【請求項２】
前記シール部材にはタブが液密に挿入されるシール孔が前後に貫通して形成され、前記当て止め部が前記シール孔の内面に形成されていることを特徴とする請求項１記載のコネクタ。
【請求項３】
前記端子金具の外面又は前記キャビティの内面には、前記キャビティ内に正規挿入された前記端子金具を弾性的に係止可能なランスが撓み可能に形成され、前記シール部材には、前記ランスの係止状態を解除するための治具が挿入可能な挿入口が形成されていることを特徴とする請求項１又は２記載のコネクタ。
【発明の詳細な説明】
【技術分野】
【０００１】
本発明は、コネクタに関する。
【背景技術】
【０００２】
特許文献１には、従来のコネクタが開示されている。コネクタは、互いに嵌合可能な第１、第２ハウジングを備えている。第１ハウジングはキャビティを有し、キャビティ内には後方から端子金具が挿入される。第１ハウジングの前面には、端子金具を当て止めする前壁が形成されている。第２ハウジングは、ブロック状のハウジング本体と、ハウジング本体の前面周縁部から前方に突出する筒状のフード部とを有する。また、第２ハウジングにはシール部材が装着される。シール部材は、ハウジング本体の前面となるフード部の奥面に当接して配置される。第１、第２ハウジングが嵌合された状態では、第１、第２ハウジング間にシール部材が弾性的に圧縮され、これによって第１、第２ハウジングの嵌合面間のシールがとられるようになっている。
【先行技術文献】
【特許文献】
【０００３】
【特許文献１】特開２００２−２３１３７４号公報
【発明の概要】
【発明が解決しようとする課題】
【０００４】
上記従来のコネクタの場合、第１、第２ハウジングが嵌合された状態で、第１ハウジングの前壁、シール部材、フード部の奥壁がそれぞれ前後に並んで配置されるため、コネクタが前後に大型化する懸念があった。
【０００５】
本発明は上記のような事情に基づいて完成されたものであって、コネクタが大型化するのを防止することを目的とする。
【課題を解決するための手段】
【０００６】
上記の目的を達成するための手段として、請求項１の発明は、相手コネクタが前方から嵌合可能なコネクタであって、端子金具が後方から挿入可能なキャビティを有するハウジングと、前記ハウジングにおける前記キャビティの前方に装着され、前記相手コネクタと嵌合された状態で前記相手コネクタと前記ハウジングとの間に弾性的に圧縮されてシールをとり、前記キャビティに臨む面に、正規挿入された端子金具を当て止め可能な当て止め部を有するシール部材とを備えるところに特徴を有する。
【０００７】
請求項２の発明は、請求項１に記載のものにおいて、前記シール部材にはタブが液密に挿入されるシール孔が前後に貫通して形成され、前記当て止め部が前記シール孔の内面に形成されているところに特徴を有する。
【０００８】
請求項３の発明は、請求項１又は２に記載のものにおいて、前記端子金具の外面又は前記キャビティの内面には、前記キャビティ内に正規挿入された前記端子金具を弾性的に係止可能なランスが撓み可能に形成され、前記シール部材には、前記ランスの係止状態を解除するための治具が挿入可能な挿入口が形成されているところに特徴を有する。
【発明の効果】
【０００９】
＜請求項１の発明＞
シール部材が当て止め部を有し、キャビティ内に正規挿入された端子金具が当て止め部に当て止め可能とされるため、ハウジングにおけるキャビティの前方に前壁を別に設ける必要がなく、その分、コネクタの前後長を短くすることができる。
【００１０】
＜請求項２の発明＞
シール部材にはタブが挿入されるシール孔が前後に貫通して形成され、当て止め部がシール孔の内面に形成されていてシール孔の前後範囲に収まるため、コネクタの前後長が長くなるのをより効果的に抑えることができる。また、ハウジングから前壁が省略される分、タブの前後長も短くすることができる。
【００１１】
＜請求項３の発明＞
シール部材にはランスの係止状態を解除するための治具が挿入可能な挿入口が形成されているため、ハウジングに挿入口を別に設ける必要がなく、ハウジングの構成をより簡素化することができる。
【図面の簡単な説明】
【００１２】
【図１】本発明の実施形態１に係り、コネクタが相手コネクタと嵌合された状態をあらわす断面図である。
【図２】コネクタの断面図である。
【図３】端子金具が挿入される前のコネクタの断面図である。
【図４】ハウジングの断面図である。
【図５】ハウジングの正面図である。
【図６】コネクタの正面図である。
【図７】コネクタが相手コネクタと嵌合された場合に図１とは別の位置で切った断面図である。
【発明を実施するための形態】
【００１３】
＜実施形態１＞
本発明の実施形態１を図１ないし図７によって説明する。実施形態１に係るコネクタ１０は、相手コネクタ１００と嵌合可能とされ、端子金具２０と、ハウジング４０と、シール部材７０とを備えている。
【００１４】
相手コネクタ１００は、図１に示すように、合成樹脂製の相手ハウジング１１０と、金属製の相手端子金具１３０とを備えている。相手端子金具１３０は、後述するタブ２４が挿入される筒状の本体部１３１と、電線２００の端末芯線２０１及び相手ゴム栓２２０に圧着して接続される相手バレル部１３２とを有している。本体部１３１には、撓み可能な一対の相手ランス１３３が上下両方向に突出して形成されている。
【００１５】
相手ハウジング１１０は略角ブロック状をなし、幅方向に複数の相手キャビティ１１１を有している。相手キャビティ１１１の内面には、上下一対の相手係止突起１１２が固定して形成されている。相手ハウジング１１０の前面には、相手キャビティ１１１の前方を部分的に塞ぐ前壁１１３が形成されている。相手キャビティ１１１内には後方から相手端子金具１３０が挿入され、正規挿入された相手端子金具１３０は、前壁１１３に当接することでそれ以上の挿入動作が規制され、かつ、相手ランス１３３を相手係止突起１１２に弾性的に係止させることで相手キャビティ１１１内から抜け出るのが規制されるようになっている。また、相手端子金具１３０が相手キャビティ１１１内に挿入された状態では、相手ゴム栓２２０が相手キャビティ１１１の内面に弾性的に密着するようになっている。
【００１６】
相手ハウジング１１０の外面には段差１１４が形成され、段差１１４を境とする前方領域が後方領域よりも一段落ちた形状とされている。そして、相手ハウジング１１０の前側領域の上面幅方向略中央部には、ロック部１１５が突出して形成されている。
【００１７】
端子金具２０は金属板を曲げ加工等して成形され、図２に示すように、相手端子金具１３０と接続可能な接続部２１と、接続部２１の後方に配置されたバレル部２２とを有している。接続部２１は、筒状の箱部２３と、箱部２３の前端から前方に突出するタブ２４とで構成されている。箱部２３の前端部には、その上下角部からタブ２４の基端部にかけて傾斜する傾斜部２５が形成されている。また、箱部２３には、一対のランス２６が上下両方向に突出して形成されている。ランス２６の前面は後方に向けて傾斜する形態とされ、ランス２６の後面は上下に切り立つ形態とされている。タブ２４は、幅方向に扁平でかつ前後方向に細長く延びる形態とされている。
【００１８】
本実施形態の場合、端子金具２０は、インナ部材２７と、インナ部材２７に外側から被せ付けられるインナ部材２７とは別体のアウタ部材２８とで構成されている。箱部２３の本体部１３１分及びタブ２４はインナ部材２７に形成され、傾斜部２５及びランス２６はアウタ部材２８に形成されている。そして、インナ部材２７の箱部２３の後端は連結部２９に一体に連なり、連結部２９は箱部２３とバレル部２２との間に括れた形状で配置されている。
【００１９】
バレル部２２は、電線３００の端末部における芯線３０１に圧着して接続されるワイヤバレル３１と、電線３００の端末部における被覆３０２に嵌着されたゴム栓４００に圧着して接続されるインシュレーションバレル３２とからなる。
【００２０】
ハウジング４０は合成樹脂製であって全体として幅方向に扁平な形状をなし、図４及び図５に示すように、略角ブロック状のハウジング本体４１と、ハウジング本体４１の前面周縁部から前方に突出する略角筒状のフード部４２とからなる。フード部４２の上壁４４の幅方向略中央部には、ロック孔４３が貫通して形成されている。ロック孔４３には両コネクタ１０、１００の嵌合時に相手コネクタ１００のロック部１１５が内側から弾性的に嵌り込み、これによって両コネクタ１０、１００が嵌合状態に保持されるようになっている。
【００２１】
ハウジング本体４１は、端子金具２０が後方から挿入される複数のキャビティ４５を有している。各キャビティ４５は、前後方向に延出する形態であって、各相手キャビティ１１１と対応するよう幅方向に複数（図示する場合は３つ）並んで配置されている。各キャビティ４５の内面には、上下一対の係止突起４６が固定して形成されている。両係止突起４６は、ハウジング本体４１の前面寄りの位置で、かつ互いに同一形状であってほぼ同じ前後位置に配置されている。両係止突起４６の後面は、前方に向けて傾斜する形態とされ、両係止突起４６の前面は、上下方向に切り立つ形態とされている。
【００２２】
ここで、各キャビティ４５における係止突起４６を挟んだ前方領域は、後方領域よりも小さくかつハウジング本体４１の前面にかけてほぼ同一の上下寸法となる開口４７とされている。つまり、ハウジング本体４１の前面には、各キャビティ４５の前方を塞ぐ前壁が形成されていない。
【００２３】
ハウジング本体４１の前面（フード部４２の奥面）には、隣接する各キャビティ４５間に、上下一対ずつの保持片４８が前方に突出して形成されている。各保持片４８の先端部には、シール部材７０の抜け止めをなす抜け止め突起４９が形成されている。各抜け止め突起４９は、上側の保持片４８では上側に突出し、下側の保持片４８では下側に突出し、上下で互いに反対側に突出する形態とされている。そして、各保持片４８は、ハウジング本体４１の前面を支点として上下に撓み変形可能とされている
シール部材７０はシリコンゴム等の軟質弾性体であって、図３及び図６に示すように、幅方向に長いマット状をなし、フード部４２内に弾性的に嵌め込まれるようになっている。そして、シール部材７０の前後長は、保持片４８の前後長より長くされている。
【００２４】
シール部材７０の外面には、前後方向に複数条のリップ７１が形成されている。各リップ７１は、シール部材７０の外面を周回する形態とされ、シール部材７０がハウジング４０に装着された状態で、フード部４２の内面に全周に亘って弾性的に圧縮されて密着するようになっている。
【００２５】
シール部材７０には、図６に示すように、各保持片４８が挿入される一対の保持孔７２が貫通して形成されている。両保持孔７２は、上下方向に細長い扁平孔状をなし、内部に上下の保持片４８が挿入されるようになっている。また、両保持孔７２の内面には、図７に示すように、上下一対の段部７３が上下方向に切り立つように形成され、段部７３が挟んだ後方領域が前方領域よりも上下方向に拡開された形状とされている。この段部７３に抜け止め突起４９が前方から弾性的に当接することにより、シール部材７０がフード部４２内に抜け止め保持されるようになっている。
【００２６】
また、シール部材７０には、図６に示すように、複数のシール孔７４が前後に貫通して形成されている。各シール孔７４は幅方向に複数（図示する場合は３つ）並んで配置され、隣接するシール孔７４間に、両保持孔７２が配置されている。そして、各シール孔７４は、幅方向に細長い扁平孔状をなし、内部に後方からタブ２４が挿入されるようになっている。このタブ２４は、各シール孔７４の前端からフード部４２内に突出して配置される。
【００２７】
各シール孔７４の前端部には、図３に示すように、シール孔本体７５が窄み形成されている。シール孔本体７５の内面には内周リップ７６が周回して形成されている。シール孔７４にタブ２４が挿入されると、タブ２４の基端部の外周面に内周リップ７６が弾性的に密着し、これによってシール孔本体７５内にタブ２４の基端部が液密にシールされるようになっている。
【００２８】
また、図３に示すように、各シール孔７４は、シール孔本体７５の後端から後方に向けて上下方向にテーパ状に拡開する拡開部７７を有し、さらに拡開部７７の後端からシール孔本体７５の後端にかけてほぼ同一径で連なる導入部７８を有している。導入部７８の開口径はキャビティ４５の前面開口の開口径とほぼ同じとされている。
【００２９】
シール部材７０がハウジング４０に装着された状態では、拡開部７７の斜面が導入部７８を介してキャビティ４５内に臨むように配置される。そして、キャビティ４５内に端子金具２０が正規挿入されると、箱部２３の前端部が導入部７８内に嵌合して位置決め状態で挿入され、かつ、傾斜部２５が拡開部７７の斜面に後方から対面して配置される。このため、端子金具２０を正規挿入位置からさらに押し込もうとすると、傾斜部２５が拡開部７７の斜面に当接して、端子金具２０のそれ以上の挿入動作が規制される。つまり、拡開部７７の斜面は、端子金具２０を前止めする当て止め部７９となるものであり、傾斜部２５とほぼ同じ傾斜角を有する。
【００３０】
また、図６に示すように、シール部材７０には、各シール孔７４を挟んだ上下両側に、一対ずつの挿入口８１が形成されている。各挿入口８１は、幅方向に細長い扁平孔状をなし、シール部材７０を前後に真直ぐ貫通する形態とされている。各挿入口８１の略後半部は、各シール孔７４の導入部７８と内側で連通している。シール部材７０がハウジング４０に装着された状態では、各挿入孔が開口４７を通して各ランス２６及び各係止突起４６と同軸で対向して配置され、各挿入孔内に挿入される図示しない治具によって各ランス２６の係止状態を解除可能となっている。
【００３１】
次に、実施形態１に係るコネクタ１０の作用を説明する。
組み付けに際し、フード部４２内に前方からシール部材７０を挿入する。シール部材７０の挿入過程では、各抜け止め突起４９が各保持孔７２の内面を摺動することにより、各保持片４８が内側に撓み変形させられる。シール部材７０の正規挿入時には、各保持片４８が弾性復帰して、各抜け止め突起４９が各段部７３に前方から当接可能に配置される（図７を参照）。これにより、シール部材７０の後面がハウジング本体４１の前面（フード部４２の奥面）に略密着状態で当接するとともに、シール部材７０の各リップ７１がフード部４２の内周面に全周に亘って弾性的に密着する（図３及び図６を参照）。
【００３２】
続いて、ハウジング本体４１の各キャビティ４５内に後方から電線３００付きの端子金具２０を挿入する。端子金具２０の挿入過程では、各ランス２６の前面が各係止突起４６の後面を摺動して、各ランス２６が内側に撓み変形させられる。端子金具２０の正規挿入時には、各ランス２６が弾性復帰して、各ランス２６の後面が各係止突起４６の前面に前方から当接可能に配置される。また、端子金具２０の正規挿入時には、傾斜部２５がシール部材７０の当て止め部７９に後方から当接可能に配置される。これにより、端子金具２０がキャビティ４５内に前後に移動規制された状態で保持される。
【００３３】
さらに、端子金具２０の正規挿入時には、ゴム栓４００がキャビティ４５の内周面に全周に亘って弾性的に密着するとともに、シール孔７４の内周リップ７６がタブ２４の基端部の外周面に弾性的に密着し、これによってキャビティ４５内が液密にシールされる。
【００３４】
その後、フード部４２内に相手コネクタ１００が嵌合される。両コネクタ１０、１００の嵌合過程では、ロック部１１５がフード部４２の上壁４４の内面を摺動して、上壁４４が撓み変形させられる。両コネクタ１０、１００が正規嵌合時には、ロック部１１５が上壁４４が弾性復帰して、ロック部１１５が上壁４４のロック孔４３に嵌り、両コネクタ１０、１００が離脱規制された状態に保持される（図１を参照）。このとき、フード部４２の前端は、相手ハウジング１１０の段差１１４と対向して配置される。また、タブ２４が相手端子金具１３０の本体部１３１内に正規深さで挿入されて接続され、両端子金具２０、１３０が電気的に接続される。さらに、両コネクタ１０、１００の正規嵌合時には、相手ハウジング１１０とハウジング本体４１との間にシール部材７０が前後に弾性的に圧縮させられ、両コネクタ１０、１００の嵌合領域間が液密にシールされる。
【００３５】
以上説明したように、本実施形態によれば、シール部材７０がハウジング４０における各キャビティ４５の前方位置に装着され、シール部材７０の当て止め部７９に端子金具２０が当て止め可能とされるため、ハウジング４０におけるキャビティ４５の前方に前壁を別に設ける必要がなく、その分、コネクタ１０の前後長を短くすることができる。
【００３６】
また、シール部材７０にはタブ２４が挿入されるシール孔７４が前後に貫通して形成され、当て止め部７９がシール孔７４の内面に形成されていてシール孔７４の前後範囲内に収まっているため、コネクタ１０の前後長が長くなるのをより効果的に抑えることができる。しかも、ハウジング４０に前壁が無い分、タブ２４の前後長も短くすることができる。
【００３７】
さらに、シール部材７０にはランス２６の係止状態を解除するための治具が挿入可能な挿入口８１が形成されているため、ハウジング４０に挿入口８１を別に設ける必要がなく、ハウジング４０の構成をより簡素化することができる。
【００３８】
＜他の実施形態＞
本発明は上記記述及び図面によって説明した実施形態に限定されるものではなく、例えば次のような実施形態も本発明の技術的範囲に含まれる。
（１）シール部材は、雌コネクタにおけるブロック状のハウジングの前面に装着されるものであってもよい。
（２）当て止め部は、シール部材の後面におけるシール孔の開口周縁部に形成されるものであってもよい。
（３）ランスは、キャビティの内面に突出して形成される樹脂ランスであってもよい。
（４）挿入口は、シール部材の外面に凹状に切り欠き形成されるものであってもよい。
（５）シール部材から挿入口を省略することも可能である。
【符号の説明】
【００３９】
１０…コネクタ
２０…端子金具
２６…ランス
４０…ハウジング
４１…ハウジング本体
４２…フード部
４５…キャビティ
７０…シール部材
７４…シール孔
７９…当て止め部
８１…挿入口
１００…相手コネクタ
【図１】
2013165019.tif 000003
【図２】
2013165019.tif 000004
【図３】
2013165019.tif 000005
【図４】
2013165019.tif 000006
【図５】
2013165019.tif 000007
【図６】
2013165019.tif 000008
【図７】
2013165019.tif 000009